(57)【要約】【課題】建物外部での足場組み立て、足場上での高所作業、軒天井や壁への開口作業等を不要とし、簡単な作業で短時間で天井裏空間の空気の換気を行わせる排気ノズル装置および換気装置を提供する。【解決手段】  排気ノズルは、天井裏空間に設置した送風機に第１のダクトを介して接続される。また、排気ノズルは建物の軒屋根部と軒天井との間の軒天空間に空気流れ下流側となるノズル口を臨ませて配置される。ノズル口に伸縮自在な第２ダクトの一端側を接続し、天井裏空間側から第２ダクトの伸縮を制御してその他端側を有孔ボードに当接させ、その孔に向けて直接に排気させる。【選択図】図１                               
2005036484.tif 000002
【特許請求の範囲】
【請求項１】
天井裏空間に設置した送風機に第１のダクトを介して接続される空気導入口を有し、建物の軒屋根部と軒天井との間の軒天空間に空気流れ下流側となるノズル口を臨ませて配置される排気ノズルと、
排気ノズルのノズル口に一端側を接続されて連通し該ノズル口部分に縮長収束される状態と伸長して軒天井の有孔ボードの孔に向けて排気ノズルから送られる空気を直接に排気させる状態とに選択的に変位可能な第２のダクトと、を有し、
第２のダクトをノズル口部分に縮長収束させた状態で排気ノズルのノズル口側を天井裏空間側から軒天空間側に向けて挿入配置させ、軒天空間側に突出した第２のダクトを伸長させてその先端側を有孔ボードに当接させ排気ノズルから送られる空気を有孔ボードの孔に向けて直接に排気させることを特徴とする排気ノズル装置。
【請求項２】
第２のダクトは筒状もしくは蛇腹状に内部の空気流路を伸縮し得るダクトからなる請求項１記載の排気ノズル装置。
【請求項３】
第２のダクトの伸長端側には自重落下用ウエイトが設けられていることを特徴とする請求項１または２記載の排気ノズル装置。
【請求項４】
第２のダクトの伸長端側には気密性保持部材が取り付けられていることを特徴とする請求項１ないし３のいずれかに記載の排気ノズル装置。
【請求項５】
第２のダクトのノズル口部分への縮長収束と、伸長展開と、を自在に操作する操作手段が設けられている請求項１ないし４のいずれかに記載の排気ノズル装置。
【請求項６】
天井裏空間に設置した送風機と、
該送風機から送られる空気の導入口を有するとともに、建物の軒屋根部と軒天井との間の軒天空間に空気流れ下流側となるノズル口を臨ませて配置される排気ノズルと、
送風機と排気ノズルとを連通接続させる空気ダクトと、を含み、
軒天井には通気孔部が設けられ、
送風機から送られる空気を軒天空間内に排出させることにより、通気孔部を介して外気と換気させることを特徴とする天井裏空間の換気装置。
【請求項７】
空気導入口を有するとともに空気流れ下流側にノズル口を有する排気ノズルと、
排気ノズルのノズル口に一端側を接続されて連通し該ノズル口部分に縮長収束される状態と伸長して空気流路を延長させた状態で排気させる状態とに選択的に変位可能な伸縮ダクトと、を有し、
空気導入口側からの操作により該伸縮ダクトを伸縮駆動させる操作手段が設けられたことを特徴とする排気ノズル装置。
【発明の詳細な説明】
【技術分野】
【０００１】
本発明は、天井裏空間の空気を外部に排気させる際の排気ノズル装置および天井裏空間の換気装置に関する。
【背景技術】
【０００２】
建物の屋根と天井との中間の天井裏空間（屋根裏空間）は、夏季に屋根面からの直射日光を受けて熱気が滞留し室内冷房効率を低下させるとともに、閉鎖空間に湿気を保持して建物構造材の腐朽やカビを生じさせる。また、熱によって屋根裏構造材からホルムアルデヒド等の揮発性有機化合物（ＶＯＣ）が発散し、居室の換気により屋根裏よりも居室側が負圧となり、このため、上記の揮発性有機化合物が居室側に流れ込むおそれがある。このような点から、近時、天井裏空間を換気させることが提唱されている。例えば一般居住用住宅について、切妻タイプの屋根構造の場合には棟の両端側の妻壁を利用して送風機が負圧吸引する天井裏空間の空気を排気口から排気させるようになっている。これに対し、寄せ棟タイプの屋根構造の建物の場合には、平面視で四方に下方傾斜の屋根面が設置されており、しかも、通常は建物の軒屋根部と壁とに軒天井を渡設して軒天空間を閉鎖状に形成させているから、この部分を開口させて排気口とする必要がある。従来、このような寄せ棟タイプの建物の天井裏空間の換気を行うに際しては、例えば、建物の壁と軒天井とに孔を設け、壁の貫通孔に空気ダクトを通して配置し、さらに軒天井の開口に該空気ダクトの一端側を連通させて外面側にガラリ等を設けて換気口とし、天井裏空間内の空気をこの換気口から排気させていた。この方法によれば、建物の外部に作業足場を組んで設置し高所位置で軒天井や壁に対する穴開け作業を行い、空気ダクトを換気口に接続させる作業が必要であり、作業時間がかかるとともに高所作業での落下等による人身事故の発生のおそれがあった。また、建物の壁や軒天井への開口作業が必要であり建物所有者が建物への開口を好まない場合が多く、換気装置自体の設置に支障をきたす場合もあった。これに対し、特開２００１−２５４４５１号において、建物外部に足場を組むことなく取り付け可能な屋根裏換気装置が提案されている。
【特許文献１】特開２００１−２５４４５１号公報
【発明の開示】
【発明が解決しようとする課題】
【０００３】
上記の特許文献１では、軒桁９２上に架設された、たる木９１の間隙部分などから送風ケーシング２の前向き延長部２３を外部に向けて配置させ、該送風ケーシング２に一体的に設けた送気ファン１６を介して天井裏側の空気を外部に排気させるようにしたものである。しかしながら、この特許文献１の換気装置では、その取り付け場所の問題から、屋根のたる木や梁あるいは桁を介して金具等で固定する作業が必要であり、一方ではこの換気装置がファンを含む送風装置を送風ケーシングに一体的に構成しているから、装置全体が大型でかつ重量があり、よって、狭小な天井裏空間側で行う取り付け、設置作業が容易でなく、作業時間がかかり、労力を伴う上に軒天空間部分は建物の屋根全体の天井裏空間部分からすると低位に位置し、よって、この部分から送気ファン１６が空気を掃引排出しても比較的に温度の低い部分の空気のみを排出して、天井裏空間の高位置のより高温の空気を排出し得ないという問題があった。
【０００４】
本発明は、上記従来の課題にかんがみてなされたものであり、その１つの目的は、建物
外部での足場組み立て、足場上での高所作業、軒天井や壁への開口作業等を不要とし、
かつ、簡単な作業で短時間で天井裏空間の空気の換気を行わせるための排気ノズル装置
を提供することにある。また、本発明の他の目的は、簡単な構造で低コストであり、さらに
軽量でコンパクトにして天井裏空間内に簡単かつ短時間に取り付けすることができる排気
ノズル装置を提供することである。さらに、本発明の他の目的は、軒天空間から高い換気
効率で天井裏空間内の空気を換気させうる天井裏空間の換気装置を提供することにある。
【課題を解決するための手段】
【０００５】
本発明は、上記の目的を達成するために、天井裏空間Ｙに設置した送風機１６に第１のダクト２２を介して接続される空気導入口（２０）を有し、建物の軒屋根部１０８と軒天井１０９との間の軒天空間Ｘに空気流れ下流側となるノズル口１８を臨ませて配置される排気ノズル１２と、排気ノズル１２のノズル口１８に一端側を接続されて連通し該ノズル口部分に縮長収束される状態と伸長して軒天井１０９の有孔ボード１１０の孔１１０ａに向けて排気ノズル１２から送られる空気を直接に排気させる状態とに選択的に変位可能な第２のダクト１４と、を有し、第２のダクト１４をノズル口１８部分に縮長収束させた状態で排気ノズル１２のノズル口側を天井裏空間Ｙ側から軒天空間Ｘ側に向けて挿入配置させ、軒天空間Ｘ側に突出した第２のダクト１４を伸長させてその先端側を有孔ボード１１０に当接させ排気ノズル１２から送られる空気を有孔ボード１１０の孔１１０ａに向けて直接に排気させることを特徴とする排気ノズル装置１０から構成される。排気ノズル１２は天井裏空間Ｙ側から軒天空間Ｘ側に向けて挿入配置させ得る任意の外形形状の中空ケース体とするとよく、できるだけ既設の建物本体部分に開口させることのないように、垂木や梁等との空隙を利用して軒天空間側に挿入し得る形状とするとよい。第２ダクトは、挿入元すなわち天井裏空間側からの操作で縮長状態から伸長しうるように駆動あるいは操作しうる機構を設けるとよい。第２のダクトは、ビニルその他の合成樹脂、皮革、紙、布、金属その他任意素材を用いてよいが、例えば重錘等を取り付けて自重落下しうるような合成樹脂、皮革、紙、布等の可撓、柔軟性の素材を用いると有利である。なお、その場合には、ダクト内外の気密保持のための塗料等を塗着あるいは被着させるとよい。
【０００６】
その際、第２のダクト１４は筒状もしくは蛇腹状に内部の空気流路を伸縮し得るダクトから構成するとよい。例えば上下に第２ダクトが伸縮する態様で設置する場合には別段の案内機構を設けなくとも、その上下方向の伸縮動作を円滑に行わせ得る。
【０００７】
また、第２のダクト１４の伸長端側には自重落下用ウエイト２８を設けるとよい。
【０００８】
さらに、第２のダクト１４の伸長端側には気密性保持部材３０を取り付けるとなおよい。
【０００９】
また、第２のダクト１４のノズル口１８部分への縮長収束と、伸長展開と、を自在に操作する操作手段（３２）を設けるとよい。第２ダクトの伸長、縮長構成は任意に設定してよく、例えば、外部にラック・ピニオン、パンタグラフ等の機構を設け、ギヤやシリンダ等をモータ、エアシリンダ等の駆動機構を含む案内駆動機構を設け、これを介して機械的あるいは電気的に伸縮駆動させるようにしてもよい。紐や細い金属等の索条類を用いて連係し、これを牽引、解除操作して伸縮させるようにすると、軽量、低コストで製作可能であり有利である。
【００１０】
また、本発明は、天井裏空間Ｙに設置した送風機１６と、該送風機１６から送られる空気の導入口（２０）を有するとともに、建物の軒屋根部１０８と軒天井１０９との間の軒天空間Ｘに空気流れ下流側となるノズル口１８を臨ませて配置される排気ノズル１２と、送風機１６と排気ノズル１２とを連通接続させる空気ダクト２２と、を含み、軒天井１０９には通気孔部（１１０）が設けられ、送風機１６から送られる空気を軒天空間Ｘ内に排出させることにより、通気孔部（１１０）を介して外気と換気させることを特徴とする天井裏空間の換気装置から構成される。第２ダクトを設けていなくとも、天井裏内の高所の熱気を含む空気をある程度換気しうる。
【００１１】
また、本発明は、空気導入口（２０）を有するとともに空気流れ下流側にノズル口１８を有する排気ノズル１２と、排気ノズルのノズル口１８に一端側を接続されて連通し該ノズル口部分に縮長収束される状態と伸長して空気流路を延長させた状態で排気させる状態とに選択的に変位可能な伸縮ダクト１４と、を有し、空気導入口（２０）側からの操作により該伸縮ダクト１４を伸縮駆動させる操作手段（３２）が設けられたことを特徴とする排気ノズル装置から構成される。建物の天井裏や軒天空間を有する屋根構造の建物ばかりでなく、その他、劇場、ホール、会館、オフィスビルディング、学校、その他任意の適用場面において、狭小部から隣接する他の空間側に挿入させた状態で伸縮ダクトを伸長させることによりそのような狭小部や隣接空間が複雑に入り組んだり、配置されるような部分の換気について具体的にその部分の換気を実現させうる。
【発明の効果】
【００１２】
本発明は、天井裏空間に設置した送風機に第１のダクトを介して接続される空気導入口を有し、建物の軒屋根部と軒天井との間の軒天空間に空気流れ下流側となるノズル口を臨ませて配置される排気ノズルと、排気ノズルのノズル口に一端側を接続されて連通し該ノズル口部分に縮長収束される状態と伸長して軒天井の有孔ボードの孔に向けて排気ノズルから送られる空気を直接に排気させる状態とに選択的に変位可能な第２のダクトと、を有し、第２のダクトをノズル口部分に縮長収束させた状態で排気ノズルのノズル口側を天井裏空間側から軒天空間側に向けて挿入配置させ、軒天空間側に突出した第２のダクトを伸長させてその先端側を有孔ボードに当接させ排気ノズルから送られる空気を有孔ボードの孔に向けて直接に排気させることを特徴とする排気ノズル装置から構成することにより、建物外部での足場組み立て、足場上での高所作業、軒天井や壁への開口作業等を不要とし、かつ、天井裏内部からの簡単な作業で短時間で天井裏空間の空気の換気を行わせるための排気ノズル装置を設置させることができる。また、排気ノズルは基本的には中空ケースであるから、軽量で狭小空間でも取り扱いが簡単であり、施工作業を楽に行わせうる。さらに、装置全体の構造を簡単にでき、低コストで製造しうる。同時に、軒天空間の有孔ボードから直接に排気するから換気性能に優れる。
【００１３】
また、第２のダクトは筒状もしくは蛇腹状に内部の空気流路を伸縮し得るダクトから構成することにより、簡単な構造で軽量で作成でき、また、伸縮操作のための機構も簡単に設定しうる。
【００１４】
また、第２のダクトの伸長端側には自重落下用ウエイトが設けられた構成とすることにより、天井裏空間側から挿入した後の第２ダクトの伸縮動作を円滑に行える。
【００１５】
また、第２のダクトの伸長端側には気密性保持部材が取り付けられた構成とすることにより、有孔ボード上に第２ダクトの下端側を載置させるだけで気密を確保でき、施工作業を迅速に行える。
【００１６】
また、第２のダクトのノズル口部分への縮長収束と、伸長展開と、を自在に操作する操作手段が設けられた構成とすることにより、排気ノズル装置全体の取り付け、取り外しを自在に行える。
【００１７】
また、本発明は、天井裏空間に設置した送風機と、該送風機から送られる空気の導入口を有するとともに、建物の軒屋根部と軒天井との間の軒天空間に空気流れ下流側となるノズル口を臨ませて配置される排気ノズルと、送風機と排気ノズルとを連通接続させる空気ダクトと、を含み、軒天井には通気孔部が設けられ、送風機から送られる空気を軒天空間内に排出させることにより、通気孔部を介して外気と換気させることを特徴とする天井裏空間の換気装置から構成することにより、高所作業不要、躯体への開口を不要とし、天井裏空間内の最も熱気を含む空気を天井裏空間側からの安全かつ簡単な操作により短時間で
軒天空間にそのノズル口を臨ませて配置させる排気ノズルを用いて天井裏空間の換気を行うことができる。
【００１８】
また、本発明は、空気導入口を有するとともに空気流れ下流側にノズル口を有する排気ノズルと、排気ノズルのノズル口に一端側を接続されて連通し該ノズル口部分に縮長収束される状態と伸長して空気流路を延長させた状態で排気させる状態とに選択的に変位可能な伸縮ダクトと、を有し、空気導入口側からの操作により該伸縮ダクトを伸縮駆動させる操作手段が設けられたことを特徴とする排気ノズル装置から構成されるから、狭小部から隣接する他の空間側に挿入させた状態で伸縮ダクトを伸長させることによりそのような狭小部や隣接空間が複雑に入り組んだり、配置されるような部分の換気について具体的にその部分の換気を実現させうる。
【発明を実施するための最良の形態】
【００１９】
本発明の排気ノズル装置の第1の実施形態は、軒屋根部と軒天井との間に軒天空間を有するような寄せ棟タイプの建物に効果的に設置される排気ノズル装置であり、以下、説明する。
【００２０】
図１は、本発明の第１実施形態に係る排気ノズル装置を天井裏空間に設置した状態を示しており、図において、外壁１００の上部の梁１０１や束１０２等の構造材に支持されて垂木１０３および野地板１０４を含む屋根部１０５が棟部１０６から下がり傾斜状に架設されている。外壁１００と天井板１０７に仕切られて室内空間Ｓが形成され、天井板１０７と屋根部１０５に囲まれて天井裏空間Ｙが形成されている。屋根部１０５の軒先側には軒屋根部１０８が形成され、軒屋根部１０８の下面側には軒先部から外壁に水平状に架設されて軒天井１０９が設けられている。そして、軒屋根部１０８と、軒天井１０９と外壁１００とにより囲まれた部分が軒天空間Ｘとされる。軒天井１０９は、例えば一部に通気用小孔１１０ａを多数形成した有孔ボード１１０が設置されている。なお、軒天井１０９は軒桁１１１により組み付け固定されている。
【００２１】
図１において、排気ノズル装置１０は、排気ノズル１２と、排気ノズルに一体的に接続させた第２のダクト１４と、を含む。排気ノズル１２は、例えば天井裏空間Ｙ内の高所位置に設置された送風機１６からの空気を受けて建物の軒屋根部１０８と軒天井１０９との間の軒天空間Ｘ側に突設させたノズル口１８から空気を吹き出す空気吹き出しケースであり、特に本実施形態では、軒屋根部１０８と軒天井１０９との間の軒天空間Ｘに空気流れ下流側となるノズル口１８を臨ませて配置させうるように屋根の１つの垂木と隣接する垂木との間の開口を利用して天井裏空間側から挿入してその先端のノズル口１８を軒天空間Ｘ側に突出配置しうる形状のハードケースから構成されている。実施形態において、該排気ノズル１２は図２，３，４に示すように、合成樹脂製の扁平な立体四角形状の中空ケース体からなり、天井裏空間Ｙ側がやや拡大して空気導入口としての接続短管２０が連結固定されているとともに、軒天空間Ｘへの挿入突出端側がノズル口１８とされる。そして、接続短管２０にはフレキシブルダクト２２の一端が連通接続され、さらにこのフレキシブルダクト２２の他端側が天井裏空間の高位置に設置した送風機６の排気側に接続されている。フレキシブルダクト２２は、送風機からの空気を排気ノズル１２に送気させる第１の空気ダクトであり、例えば数メートルから数十メートルの長さについて連結接続可能な可撓性を有するアルミニウム製蛇腹ダクトから構成されている。
【００２２】
図２ないし図４において、排気ノズル１２のノズル口１８側は下板２４と該下板２４よりも庇状に長く突出した上板２６とを含み、したがって、接続短管２０から導入された空気はノズル口１８部分で上板６の庇状に突出した庇状突出部２７の下端部まで案内されながら流れる。
【００２３】
図２ないし図４において、第２のダクト（伸縮ダクト）１４は、ノズル口１８に一端を接続され屋根の１つの垂木と隣接する垂木との間の開口を利用して天井裏空間Ｙ側から軒天空間Ｘ側に排気ノズル１２を挿入させるときにはノズル口１８側に縮長収縮し、ノズル口１８を軒天空間Ｘ側に突出させた後に伸長展開させて軒天井１０９の有孔ボード１１０から直接に天井裏空間の空気を排気させるノズル口伸縮手段であり、本実施形態において、上下に伸縮自在な角形蛇腹状ダクトが用いられている。この蛇腹状ダクトのダクト本体部としての蛇腹部１５は、軽量で可撓性を有する素材から形成され、例えば、合成樹脂、紙、皮、金属その他の任意素材が選択される。この際、合成樹脂や紙等の柔軟な素材については種々の繊維素材等を製作段階で埋め込んで合成すると強度を保持しうる。また、ピアノ線、ワイヤ等を補強、あるいは保形用として用いると良い。この第２のダクト１４は、蛇腹状に伸縮することで内部の空気流路を自在に伸縮させる。
【００２４】
本実施形態において、さらに、この第２のダクト１４の伸長端側にはウエイト２８が取り付けられている。本実施形態において、ウエイト２８は細長鉄板を四角枠状に曲げ形成し、この四角枠に第２のダクト１４の他端側を接続させている。したがって、図３状態からこの第２ダクト１４の収束方向の拘束を解除すると自重によりその下端側が落下伸長し、有孔ボード１１０の複数の通気用小孔１１０ａを取り囲んで閉鎖する状態となる。
【００２５】
さらに、この第２ダクト１４の伸長端側には気密性保持部材３０が取り付けられている。
気密性保持部材は、有孔ボード１１０上に配置する第２ダクトの伸長端側の縁部分での内外の気密を保持するものであり、実施形態において、四角枠状ウエイト２８の下端部に四角枠状に沿ってスポンジ部材が貼設されている。この実施形態では、気密性保持部材３０は、ウエイト２８の下部においてウエイトの重量で圧縮されつつ有孔ボード上の第２ダクトの内外を気密状に遮断するとともに、ウエイトにより第２ダクト１４の伸長端側が落下して下部の有孔ボード上で止められるときに衝撃を吸収して施工時の軒天井の損傷等を防止するものである。
【００２６】
さらに、排気ノズル装置１０には、第２のダクト１４のノズル口１８部分への縮長収束と、伸長展開と、を天井裏空間側から操作する操作紐３２が設けられている。操作紐３２は、第２のダクト１４のノズル口１８部分への縮長収束と、そこからの伸長展開と、を天井裏空間側から自在に操作する操作手段であり、実施形態において、上板２６の庇状突出部２７の平面視矩形隅部位置の４箇所に通係孔３４が穿孔され、これらの通係孔３４を通係して４本の紐３２が設置されている。それぞれの紐３２の下端側は第２ダクト１４の伸長端側の例えばウエイト２８付近でそれぞれ矩形隅部位置に固定されるとともに、他端側は排気ノズル１２の空気導入口側に引き出されている。これらの４本の紐３２を引くとウエイト２８部分から持ち上げて上昇させ、ついには第２ダクト１４を図３の縮長状態に収束させるとともに、その状態から紐３２の牽引力を解除するとウエイト２８が自重で落下し、第２ダクト１４の下端側から有孔ボード１１０（通気孔部）の孔１１０ａを介して直接に空気を排気させる。第２のダクト１４のノズル口１８部分への縮長収束と、伸長展開と、を天井裏空間側から操作する操作手段としては、これらの紐による第２ダクト１４の伸長端側の牽引、解除操作の例に限らない。紐はワイヤ、チェーン、テグスその他の部材でも良いし、通係孔３４を穿孔することなく、第２ダクト１４の外部側にガイドを設けて、これを介して紐その他の索条類を操作するようにしてもよい。なお、図中、３６は軒樋である。
【００２７】
上記の排気ノズル装置１０の取り付け施工に際しては、操作紐３２をすべて引き込んでノズル口１８部分に第２ダクト１４を縮長収束させた状態（図３参照）で、作業者は天井裏空間に位置して屋根の１つの垂木と隣接する垂木との間の開口からその先端のノズル口１８を軒天空間Ｘ側に突出させるように挿入する。そして、ノズル口１８が軒天空間Ｘに突出したことを確認した後に、操作紐３２を緩めるとウエイト２８の自重で第２ダクト１４の下端側が降下してその蛇腹状ダクトを伸長展開させる。そして、ウエイト２８が有孔ボード上で停止するときに、ウエイト２８が下部のスポンジ（３０）を圧縮し、気密を保持させる。これによって、天井裏の高所位置の夏季に熱気を多く含む空気が送風機１６を介して送られ、排気ノズル１２を経由して送気される空気は第２ダクト１４を介して有孔ボード１１０の通起用小孔１１０ａから直接に外部に排気される。したがって、換気上のロスが少なくなり、しかも、作業も簡単で短時間で施工が完了する。なお、施工後に装置の取り外しが必要な場合には、再び操作紐３２の端部を引き込んで上記と逆の手順を操作することにより、建物自体に全く加工を加えずに排気ノズルの取り付け、取り外し施工を行える。
【００２８】
なお、上記の第１の実施形態では、ノズル口１８の先端を伸縮させる手段としての第２ダクト１４を設けた例を示しているが、第２実施形態として、この第２ダクト１４を取り付けずに天井裏の送風機１６から送られる空気を軒天空間Ｘに単に排出させる構成としても良い。すなわち、この場合、天井裏空間Ｙに設置した送風機１６と、該送風機から送られる空気の導入口（２０）を有するとともに、建物の軒屋根部１０８と軒天井１０９との間の軒天空間Ｘに空気流れ下流側となるノズル口１８を臨ませて配置される排気ノズル１２と、送風機１６と排気ノズル１２とを連通接続させる空気ダクト２２と、を含み、軒天井１０９には通気孔部１１０が設けられ、送風機１６から送られる空気を軒天空間Ｘ内に排出させることにより、通気孔部１１０を介して外気と換気させる構成としてもよい（図示省略）。この場合についても相当程度の換気を行えることが確認されている。
【００２９】
さらに、第３実施形態について、上記のような建物の軒屋根部、軒天井、軒天空間等の設置箇所に限定されることなく、それに類似する環境の任意の場所に本排気ノズル装置を適用するようにしてもよい。この場合の排気ノズル装置は、図示は省略するが、空気導入口（２０）を有するとともに空気流れ下流側にノズル口１８を有する排気ノズル１２と、排気ノズルのノズル口に一端側を接続されて連通し該ノズル口部分に縮長収束される状態と伸長して空気流路を延長させた状態で排気させる状態とに選択的に変位可能な伸縮ダクト１４と、を有し、空気導入口側からの操作により該伸縮ダクト１４を伸縮駆動させる操作手段が設けられた構成である。これによって、狭小部から隣接する他の空間側に挿入させた状態で伸縮ダクトを伸長させることによりそのような狭小部や隣接空間が複雑に入り組んだり、配置されるような部分の換気について具体的にその部分の換気を実現させうる。
【試験例１】
【００３０】
例えば、実験により下記表１のような試験例を得た。閉鎖室内空間に２機の送風ファンを設置し、これにダクト接続してノズル口を有孔ボードの上方に位置するように設定した実施形態の排気ノズル装置を配置させ、室内にスモークを発生させた後に、それぞれ、（１）第２ダクトを伸長させて有孔ボードの小孔から直接に排気させた場合と、（２）第２ダクトを縮長させて排気させる場合と、（３）送風ファンを駆動しないで自然換気を行わせる場合のそれぞれについて換気状態を検証した。
【表１】
2005036484.tif 000003
第２ダクト伸長の場合に最も換気効率が高いとともに、第２ダクト縮長の場合にも自然換気の場合に比較して換気時間は４分の１程度で済むことがわかる。
【産業上の利用可能性】
【００３１】
一般住宅の寄せ棟タイプ屋根構造をもつ建物のように、屋根の下面側に軒天井等を有して換気ノズルの設置場所が得にくい建物、あるいは軒天空間のように換気したい空間の途中に他の閉鎖あるいは開放空間があり、これを経由して排気が必要な場合の建物、さらには、これらに類する構造の建物の空間の換気を行うための排気ノズル装置あるいは換気装置として適用可能である。
【図面の簡単な説明】
【００３２】
【図１】本発明の第１実施形態に係る排気ノズル装置を屋根裏、軒天空間部分に設置した状態を示す説明図である。
【図２】図１の排気ノズル装置の拡大斜視説明図である。
【図３】図１の排気ノズル装置の第２ダクトを縮長収縮させた状態の一部断面作用説明図である。
【図４】図１の排気ノズル装置の第２ダクトを伸長させた状態の一部断面作用説明図である。
【図５】図１の排気ノズル装置の作用説明図である。
【図６】図１の排気ノズル装置の作用説明図である。
【符号の説明】
【００３３】
１０    排気ノズル装置
１２    排気ノズル
１４    第２のダクト
１６    送風機
１８    ノズル口
２２    第１のダクト
２８    ウエイト
３０    気密性保持部材
３２    操作紐
１００    外壁
１０３    垂木
１０８    軒屋根部
１０９    軒天井
１１０    有孔ボード
１１０ａ    通気用小孔
Ｓ    室内空間
Ｙ    天井裏空間
Ｘ    軒天空間
【図１】
2005036484.tif 000004
【図２】
2005036484.tif 000005
【図３】
2005036484.tif 000006
【図４】
2005036484.tif 000007
【図５】
2005036484.tif 000008
【図６】
2005036484.tif 000009